(57)【要約】【課題】設置面から載置面までの高さを低くすることで台車を載置面に容易に載せたり、載置面から降ろしたりすることができ、かつ載置面に荷物を載せる方向が限定されずに使い勝手が良好な低床台秤を提供する。【解決手段】低床台秤１は、荷物を載置する正方形状の載置板２ａを有する載置台２と、天板３ａと、この天板３ａを支持する外方側壁３ｂ，３ｃ及び内方側壁３ｄ，３ｅを有し、ロードセルを内部に収容する複数の収容部３を備え、複数の収容部３は、互いに間隔を空けて載置板２ａの周縁２Ｃ寄りにそれぞれ配置され、天板３ａは、載置板２ａの載置面２Ａから上方に突出して形成される。【選択図】図１
0003234894.tif 000002
【実用新案登録請求の範囲】
【請求項１】
荷物を載置する載置板を有する載置台と、
天板と、この天板を支持する側壁を有し、ロードセルを内部に収容する複数の収容部を備え、
複数の前記収容部は、互いに間隔を空けて前記載置板の周縁寄りにそれぞれ配置され、
前記天板は、前記載置板の載置面から上方に突出して形成されることを特徴とする低床台秤。
【請求項２】
前記載置板は、四角形状であり、
複数の前記収容部は、前記載置板のすべての角部にそれぞれ配置されることを特徴とする請求項１に記載の低床台秤。
【請求項３】
前記載置台を支持する複数の支持脚を備え、
前記支持脚は、前記載置台を設置する設置面から前記載置面までの高さを調整する高さ調整部を備えることを特徴とする請求項１又は請求項２に記載の低床台秤。
【請求項４】
前記支持脚は、前記収容部の下方に配置され、
前記載置台は、前記載置面を上縁として下方へ延設されるカバー体が、前記載置板の前記周縁に取り付けられ、
前記カバー体または前記側壁のうち前記カバー体と連なる外方側壁は、前記支持脚の前記高さ調整部が露出するように、前記収容部の下方に位置する箇所が切り欠かれた切り欠き部を備えることを特徴とする請求項３に記載の低床台秤。
【考案の詳細な説明】
【技術分野】
【０００１】
本考案は、荷物を載置台に載置してその重量を計測する台秤に係り、特に、載置台のすべての周縁から荷物を移動させて載置可能な低床台秤に関する。
【背景技術】
【０００２】
従来、荷物を載置台に載置することで荷物の重量を計測可能な台秤が利用されている。この台秤は、重量計測のためのセンサを収容するスペースを設け、かつ載置台の下面を台秤の設置面に接触させないという必要性から、設置面から載置台までの高さをある程度確保しなければならない。そのため、載置面の周縁にスロープを設置したとしても、荷物を積載した台車を載置面に載せたり、重量計測後に降ろしたりする作業が作業者にとって負担となっていた。
そこで、近年、床面から載置台までの高さを低くして、作業者の負担を軽減するための技術が開発されており、それに関して既にいくつかの発明が開示されている。
【０００３】
特許文献１には「カートスケール」という名称で、計量物を載せた台車ごと計量が可能な台秤に関する発明が開示されている。
以下、特許文献１に開示された発明について説明する。特許文献１に開示された発明は、矩形状の基盤と、この基盤の両側部に立ち上げて設けられた支承部と、この支承部から吊下用ロードセルを介して吊り下げられた矩形板状の秤量台を備えることを特徴とする。
このような特徴を有する発明においては、秤量台は床面より隙かに高い位置（例えば床面から２ｃｍの高さ位置）に配置されるため、矩形板状をなす秤量台の二対の側部のうち、支承部が設けられない一対の側部にガイドスロープをそれぞれ設置することにより、計量物を載せた台車を容易に秤量台へ載置でき、かつ台車の進行方向を変えずに降ろすことができる。
【０００４】
次に、特許文献２には「低床台秤」という名称で、計量皿の高さを低く設定した低床台秤に関する発明が開示されている。
特許文献２に開示された発明は、被計量物を載置する載置面と、この載置面の両側で重量センサユニットを覆うボックス状被覆部と、載置面の後方で被計量物のオーバーランを抑止するストッパーを有し、載置面がボックス状被覆部の頂面よりも低く設定されていることを特徴とする。
このような特徴を有する発明においては、載置面がボックス状被覆部の頂面よりも低く設定されていることから、台車を載置面上に載せ易い。そのため、重量の大きい被計量物の荷重測定作業が容易になる。
また、ストッパーが設けられるため、被計量物を積載した台車ごと載置面に載せる場合でも、台車がオーバーランして載置面から落ちる事故を防止できる。
【先行技術文献】
【特許文献】
【０００５】
【特許文献１】特開２００１−１８８０２２号公報
【特許文献１】特開２０１３−１１４８６号公報
【考案の概要】
【考案が解決しようとする課題】
【０００６】
しかしながら、特許文献１に開示された発明においては、支承部が設けられない一対の側部から、台車を秤量台へ載置することができない。そのため、床面から秤量台までの高さが低いにも関わらず、台車が移動可能な方向が二方向に限定される。よって、台車を例えば、四方向に移動させたい場合には不都合であり、使い勝手が良好でない。
また、特許文献２に開示された発明においても、載置面周囲の三方がボックス状被覆部と、ストッパーによって囲まれており、台車が移動可能な方向が一方向に限定されるので、特許文献１に開示された発明と同様に使い勝手が良好でない場合がある。
【０００７】
本考案は、このような従来の事情に対処してなされたものであり、設置面から載置面までの高さを低くすることで台車を載置面に容易に載せたり、載置面から降ろしたりすることができ、かつ載置面に荷物を載せる方向が限定されずに使い勝手が良好な低床台秤を提供することを目的とする。
【課題を解決するための手段】
【０００８】
上記目的を達成するため、第１の考案は、荷物を載置する載置板を有する載置台と、天板と、この天板を支持する側壁を有し、ロードセルを内部に収容する複数の収容部を備え、複数の収容部は、互いに間隔を空けて載置板の周縁寄りにそれぞれ配置され、天板は、載置板の載置面から上方に突出して形成されることを特徴とする。
このような構成の考案においては、複数の収容部の各天板は、載置面から上方に突出して形成されることから、載置板の裏面に収容部を備えるためのスペースが不要である。よって、低床台秤を設置する設置面から載置面までの高さを低く設計することができる。
また、複数の収容部は、互いに間隔を空けて載置板の周縁寄りに配置されるため、この周縁に沿って隣り合う収容部間の領域は、載置面の一部となる。よって、隣り合う収容部間の領域の高さ位置が低くなるので、この領域に隣接してスロープを設置すると、このスロープを介して荷物を積載した台車を載置面に載せたり、載置面から降ろしたりすることができる。
【０００９】
次に、第２の考案は、第１の考案において、載置板は、四角形状であり、複数の収容部は、載置板のすべての角部にそれぞれ配置されることを特徴とする。
このような構成の考案においては、第１の考案の作用に加えて、対向する二対の辺を含む収容部間の領域を介して、台車を載置台に載せること等をすることができる。すなわち、台車が移動可能な方向は四方向となる。
【００１０】
さらに、第３の考案は、第１又は第２の考案において、載置台を支持する複数の支持脚を備え、支持脚は、載置台を設置する設置面から載置面までの高さを調整する高さ調整部を備えることを特徴とする。
このような構成の考案において、支持脚は、ロードセルを介して載置台を支持する保持部材に取り付けられて、載置台を間接的に支持する。また、高さ調整部は、例えば、載置台に固定されるナットやスリーブと、このナット等に螺合するネジ体が考えられる。
上記構成の考案においては、第１又は第２の考案の作用に加えて、高さ調整部において載置台の設置面に対する載置面の高さを調整することで、載置面を水平に維持したり、設置面から載置面までの高さを所望の高さに変更したりすることができる。
【００１１】
続いて、第４の考案は、第３の考案において、支持脚は、収容部の下方に配置され、載置台は、載置面を上縁として下方へ延設されるカバー体が、載置板の周縁に取り付けられ、カバー体または側壁のうちカバー体と連なる外方側壁は、支持脚の高さ調整部が露出するように、収容部の下方に位置する箇所が切り欠かれた切り欠き部を備えることを特徴とする。
このような構成の考案においては、第３の考案の作用に加えて、カバー体が載置板の周縁に取り付けられるため、カバー体が載置台の周面となる。そのため、載置台の内部に不要物が挟まることや、埃等が溜まることが防止される。
また、カバー体または外方側壁が切り欠き部を備えることによって、支持脚の高さ調整部が露出するので、この高さ調整部に直接接触可能となる。なお、隣接する切り欠き部同士の間は、開放構造であるほか、面状部材で連結されて面取り部が形成されてもよい。
【考案の効果】
【００１２】
第１の考案によれば、低床台秤を設置する設置面から載置面までの高さを低く設計することができるので、容易に台車を載置面に載せたり、載置面から降ろしたりすることが可能となる。よって、作業者の体力面での負担を軽減することができる。
【００１３】
第２の考案によれば、第１の考案の効果に加えて、台車が移動可能な方向は四方向となることから、載置面に荷物を載せる方向が限定されずに使い勝手が良好である。
【００１４】
第３の考案によれば、第１又は第２の考案の効果に加えて、高さ調整部によって、載置台を水平に維持できるため、計測精度を常に良好とすることができる。また、設置面から載置面までの高さを所望の高さに変更できるので、導入された施設の都合に応じた設置が可能となる。
【００１５】
第４の考案によれば、第３の考案の効果に加えて、カバー体によって、載置台の内部に不要物が挟まること等が防止されるため、挟まった不要物の除去作業の発生や載置台の損傷を未然に防ぐことができる。
また、支持脚の高さ調整部に直接接触可能となることから、カバー体が高さ調整部を操作する際の妨げとならない。
【図面の簡単な説明】
【００１６】
【図１】本考案の実施の形態に係る低床台秤を上斜め方向から見た場合の斜視図である。
【図２】本考案の実施の形態に係る低床台秤を上方向から見た場合の平面図である。
【図３】（ａ）は図２におけるＡ方向矢視図であり、（ｂ）は図２におけるＢ−Ｂ線矢視断面図である。
【図４】（ａ）は図２におけるＣ−Ｃ線矢視断面図であり、（ｂ）は図２におけるＤ−Ｄ線矢視断面図である。
【図５】（ａ）は本考案の実施の形態に係る低床台秤に、スロープを取り付けた場合の平面図であり、（ｂ）はスロープが有する取付部材を拡大した平面図である。
【考案を実施するための形態】
【実施例】
【００１７】
本考案の実施の形態に係る低床台秤について、図１乃至図５を用いて詳細に説明する。図１は、本考案の実施の形態に係る低床台秤を上斜め方向から見た場合の斜視図である。
図１に示すように、実施例に係る低床台秤１は、荷物を載置する載置板２ａを有する載置台２と、一個のロードセル６（図２参照）をそれぞれ内部に収容する四個の収容部３と、載置台２を支持する四本の支持脚４と、載置台２の中心部に配設される和算箱５を備える。
また、載置台２は、載置板２ａに加え、この載置板２ａの載置面２Ａの裏面２Ｂに取り付けられる補強部材７Ｘ〜９Ｙ（図２参照）と、載置板２ａの周縁２Ｃに取り付けられるカバー体１０を備える。
さらに、載置板２ａは、正方形状である。すなわち、周縁２Ｃは、対向する二対の辺Ｓ１〜Ｓ４で囲まれており、辺Ｓ１，Ｓ３の各両端は、それぞれ辺Ｓ２，Ｓ４の各両端と直角部Ｔを形成する。
【００１８】
次に、複数の収容部３は、天板３ａと、この天板３ａを支持する側壁を有するとともに、収容部３の内部にロードセル６を収容する収容室３ｆ（図２参照）が形成される。詳細には、天板３ａを支持する側壁は、カバー体１０と連なる外方側壁３ｂ，３ｃと、載置板２ａと連なり、外方側壁３ｂ，３ｃとそれぞれ平行する内方側壁３ｄ，３ｅである。
また、複数の収容部３は、互いに間隔を空けて載置板２ａの周縁２Ｃ寄りに配置される。具体的には、複数の収容部３は、載置板２ａのすべての直角部Ｔにそれぞれ配置される。
そして、天板３ａは載置板２ａの載置面２Ａから上方に突出して形成される。
さらに、支持脚４は、収容部３の下方に配置される。この支持脚４の構成については、図４（ｂ）を用いて説明する。なお、本願における下方とは、載置台２を設置する設置面５０（図３（ａ）参照）寄りの方向を意味している。
【００１９】
続いて、載置台２の構成について、図２乃至図４（ａ）を用いて説明する。図２は、本考案の実施の形態に係る低床台秤を上方向から見た場合の平面図である。なお、図１で示した構成要素については、図２においても同一の符号を付して、その説明を省略する。
図２に示すように、載置板２ａにおいては、互いに直交する複数本の補強部材７Ｘ，７Ｙ，８Ｘ，８Ｙ,９Ｘ，９Ｙが、溶接によって、辺Ｓ２，Ｓ４に平行なＸ方向または辺Ｓ１，Ｓ３に平行なＹ方向に沿って載置板２ａの裏面２Ｂに固着される。
補強部材７Ｘ〜８Ｙは、いずれも横断面が略Ｃ字状をなすステンレス製または鉄製の長尺部材である。なお、補強部材７Ｘ，７Ｙの横幅は、補強部材８Ｘ，８Ｙの横幅よりもそれぞれ広めである。
また、補強部材９Ｘ，９Ｙは、それぞれ板状をなすステンレス製または鉄製の長尺部材である。
さらに、補強部材７Ｘ〜９Ｙ同士がそれぞれ交差する箇所は、溶接によって互いに固着されている。一方、内方側壁３ｄ，３ｅは、載置面２Ａから上方に突出していることに加え、裏面２Ｂから下方に突出して設けられる。そのため、補強部材８Ｘ，８Ｙの両端は、裏面２Ｂから下方に突出した内方側壁３ｄ，３ｅにそれぞれ溶接されている。
【００２０】
さらに、和算箱５は、載置板２ａの下方の空間に配置される。そして、和算箱５は、各ロードセル６の計測値をすべて和算する。この和算値は、和算箱５と通信可能に構成された表示装置（図示せず）に送信される。そして、表示装置によって、和算値から載置面２Ａに載置された荷物の重量が演算され、その結果が表示されるため、荷物の重量が作業者によって確認される。
【００２１】
続いて、載置台２の構成について、図３及び図４を用いて詳細に説明する。図３（ａ）は図２におけるＡ方向矢視図であり、図３（ｂ）は図２におけるＢ−Ｂ線矢視断面図である。図４（ａ）は図２におけるＣ−Ｃ線矢視断面図であり、図４（ｂ）は図２におけるＤ−Ｄ線矢視断面図である。なお、図１及び図２で示した構成要素については、図３及び図４においても同一の符号を付して、その説明を省略する。
図３（ａ）に示すように、載置台２は、載置面２Ａを上縁として下方へ延設されるカバー体１０が、載置板２ａの周縁２Ｃに取り付けられる。
詳細には、カバー体１０は、載置板２ａの辺Ｓ１〜Ｓ４（図１，２参照）にそれぞれ設けられる板状のステンレス製または鉄製の長尺部材であって、その上端１０ａと、両端１０ｂ，１０ｂは、載置板２ａの周縁２Ｃと、外方側壁３ｃ，３ｃにそれぞれ溶接される。また、カバー体１０の下端１０ｃと、設置面５０との間は、わずかな隙間を有している。
【００２２】
さらに、カバー体１０の両端１０ｂ，１０ｂとそれぞれ連なる外方側壁３ｃ，３ｃは、収容部３の下方に位置する箇所が切り欠かれた切り欠き部１１，１１を備える。この切り欠き部１１，１１は、カバー体１０の上端１０ａの中間部から、それぞれ外方側壁３ｃ，３ｃに向かってそれぞれ遠ざかる方向に沿って、その高さ方向の長さが小さくなるように傾斜している。なお、図示は省略するが、カバー体１０の両端１０ｂ，１０ｂとそれぞれ連なる外方側壁３ｂ，３ｂにおいても、同様の切り欠き部１１，１１を備える。
【００２３】
また、ロードセル６を収容する収容室３ｆは、天板３ａが載置板２ａの載置面２Ａから上方に突出して形成されるため、載置面２Ａよりも上方に位置している。
ここで、ロードセル６は、内方側壁３ｄの収容室３ｆ側の内面に固定される板状の保持部材６ａと、保持部材６ａに対しロードセル６の一端を固定する２本のボルト６ｂと、によってロードセル６の一端が保持されるとともに、支持脚４によってロードセル６の他端が支持される。また、ロードセル６は、載置面２Ａに荷物が載置された際に変形する起歪体（図示せず）と、起歪体に貼付され、この起歪体が変形する際の変形量を電気信号に変換するひずみゲージ（図示せず）からなる。
よって、載置面２Ａに荷物が載置されると、保持部材６ａを介して起歪体が荷物の重量に応じて変形するため、ロードセル６は荷物の重量を計測可能である。
【００２４】
続いて、図３（ｂ）に示すように、補強部材７Ｙと、補強部材８Ｘは、設置面５０から補強部材７Ｙ，８Ｘの最下方の底面までの高さが、いずれも等しくなっている。補強部材９Ｙにおいても、設置面５０から補強部材９Ｙの最下方の底面までの高さが、補強部材７Ｙ，８Ｘにおける高さと等しくなっている。
【００２５】
さらに、図４（ａ）に示すように、補強部材７Ｘ，７Ｙ，８Ｘ，９Ｘは、設置面５０からこれらの最下方の底面までの高さが、いずれも等しくなっている。
【００２６】
そして、図４（ｂ）に示すように、支持脚４は、載置台２を設置する設置面５０から載置面２Ａまでの高さＨを調整する高さ調整部４Ａを備える。また、支持脚４として、例えば、市販の他社製品が用いられる。この支持脚４は、略円錐台形状の台座４ａと、この台座４ａに挿通されるネジ体４ｂと、このネジ体４ｂの上端に被せられ、ロードセル６の挿入孔６ｃに挿入固定される固定部４ｃと、この固定部４ｃの下方に配置され、ネジ体４ｂと一体的に形成される突縁部４ｄと、この突縁部４ｄと台座４ａの間に配置され、ネジ体４ｂに螺合するナット４ｅからなる。
【００２７】
このような構成においては、例えば、突縁部４ｄを工具を用いて把持し、中心軸ＡＸを中心としたネジ体４ｂ自体の回動を抑制した状態で、ナット４ｅを弛めて台座４ａをネジ体４ｂの中心軸ＡＸを中心として回動させることにより、台座４ａがネジ体４ｂに対して上下方向に昇降する。よって、台座４ａをネジ体４ｂに対して適切な位置に移動させたあとで、ナット４ｅを締め付けると、ロードセル６を設置面５０に対して所望の高さに固定できる。すなわち、設置面５０から載置面２Ａまでの高さＨを所望の高さに調整できる。したがって、支持脚４の高さ調整部４Ａとは、台座４ａと、ネジ体４ｂと、ナット４ｅを指している。
【００２８】
そして、低床台秤１の使用方法について、図５を用いて詳細に説明する。図５（ａ）は本考案の実施の形態に係る低床台秤に、スロープを取り付けた場合の平面図であり、図５（ｂ）はスロープが有する取付部材を拡大した平面図である。なお、図１乃至図４で示した構成要素については、図５においても同一の符号を付して、その説明を省略する。
図５（ａ）に示すように、低床台秤１においては、複数の収容部３は、載置板２ａのすべての直角部Ｔにそれぞれ配置されるため、隣り合う収容部３間の領域は、載置面２Ａの一部となる。よって、隣り合う収容部３間の領域の高さ位置が低くなるので、すべての辺Ｓ１〜Ｓ４の隣り合う収容部３間に、金属製のスロープ５１の取り付けが可能となる。
【００２９】
また、図５（ｂ）に示すように、スロープ５１は、その高さが最も高くなっている辺５１ａの両端部に、それぞれ取付部材５２を備える。この取付部材５２は、略Ｌ型の金属製平板であって、その一か所に支持脚４の台座４ａを挿入可能な直径を有する挿入孔５２ａが穿通されている。
よって、載置板２ａの各直角部Ｔの周辺において、二個の挿入孔５２ａの位置を一致させ、その中に四本の台座４ａを挿入することにより、四台のスロープがそれぞれ辺Ｓ１〜Ｓ４に移動不能に取り付けられる。
【００３０】
したがって、辺Ｓ１，Ｓ３に取り付けられたスロープ５１，５１をそれぞれ利用して、荷物を積載した台車を載置面２Ａに載置し、荷物の重量を計測できる。計測後は、このスロープ５１，５１を利用して台車を載置面２Ａから降ろすことができる。同様に、辺Ｓ２，Ｓ４に取り付けられたスロープ５１，５１を利用しても、台車を載せたり、降ろしたりすることができる。
【００３１】
上記の構成を有する低床台秤１においては、複数の収容部３の各天板３ａは、載置面２Ａから上方に突出して形成されることから、載置板２ａの裏面２Ｂに収容部３を備えるためのスペースが不要である。よって、低床台秤１を設置する設置面５０から載置面２Ａまでの高さＨを低く設計することができる。具体的には、高さＨは、４５ｍｍ〜５０ｍｍとすることができる。
さらに、複数の収容部３はすべての直角部Ｔにそれぞれ配置されるため、辺Ｓ１〜Ｓ４の隣り合う収容部３間に、金属製のスロープ５１の取り付けが可能となるから、荷物を積載した台車をＸ、Ｙ方向に沿ってそれぞれ載置面２Ａ上で往復移動させることができる。
【００３２】
また、載置板２ａの裏面２Ｂに、互いに直交する複数本の補強部材７Ｘ〜９Ｙが固着されるため、載置板２ａに荷物を載置したことによって載置板２ａ自体が撓むことが防止される。
そして、支持脚４の高さ調整部４Ａによって、設置面５０に対する載置面２Ａの高さＨを調整することで、載置面２Ａを水平に維持したり、高さＨを所望の高さに変更したりすることができる。
【００３３】
加えて、カバー体１０が載置板２ａの周縁２Ｃに取り付けられるため、カバー体１０が載置台２の周面となる。すなわち、載置台２がカバー体１０によって被覆される。また、カバー体１０は、載置台２の補強部材としても機能する。
また、支持脚４が収容部３の下方に配置されることによって、支持脚４が載置台２からはみ出す部分を無くすことができる。
さらに、外方側壁３ｂ，３ｃがそれぞれ切り欠き部１１，１１を備えることによって、支持脚４の台座４ａと高さ調整部４Ａが、外方側壁３ｂ，３ｃによって被覆されることなく露出する。
【００３４】
以上説明したように、低床台秤１によれば、低床台秤１を設置する設置面５０から載置面２Ａまでの高さＨを低く設計することができるので、傾斜が従来よりも少なめのスロープを利用することができる。よって、容易に台車を載置面２Ａに載せたり、載置面２Ａから降ろしたりすることが可能となるから、作業者の体力面での負担を軽減することができるとともに、降ろす際に台車のスピードが加速せず、荷物重量の計測作業時の安全性を向上させることもできる。
また、荷物を積載した台車をＸ、Ｙ方向に沿ってそれぞれ往復移動させることができるため、載置面２Ａに荷物を載せる方向が限定されずに使い勝手が良好である。
【００３５】
さらに、補強部材７Ｘ〜９Ｙが固着されることで、荷物の重量による載置板２ａ自体の撓みが防止されるため、計測の精度を向上させることができる。
加えて、支持脚４の高さ調整部４Ａによって、載置面２Ａを常に水平に維持可能なことによっても、計測精度を常に良好とすることができる。この高さ調整部４Ａによっては、設置面５０から載置面２Ａまでの高さＨを所望の高さに変更できるので、導入された施設の都合に応じた設置が可能となる。
【００３６】
そして、載置台２がカバー体１０によって被覆されるので、載置台２の内部に不要物が挟まることや、埃等が溜まることを防止できる。よって、挟まった不要物の除去作業の発生や載置台の損傷を未然に防ぐことができる。
また、支持脚４の高さ調整部４Ａが露出することによって、台座４ａやナット４ｅに作業者が直接接触可能となることから、カバー体１０が高さ調整部４Ａを操作する際の妨げとならず、迅速な設置が可能となる。
【００３７】
なお、本考案に係る低床台秤は、実施例に示すものに限定されない。例えば、載置板２ａは、長方形状であってもよい。また、補強部材７Ｘ〜９Ｙは、図２に示した本数や配置に限られない。さらに、支持脚４は、実施例とは異なる公知の高さ調整部を有していてもよい。
このほか、外方側壁３ｂ，３ｃの代わりに、カバー体１０が収容部３の下方に延設されてもよい。この場合、切り欠き部１１，１１は、カバー体１０の両端１０ｂ，１０ｂに形成される。これに対し、支持脚４の高さ調整部４Ａが省略される場合には、切り欠き部１１，１１は設けられなくてもよい。また、低床台秤１は、設置面５０に設置される以外に、設置面５０に形成されたピットに設置されてもよい。
【産業上の利用可能性】
【００３８】
本考案は、載置台のすべての周縁から荷物を移動させて載置可能な低床台秤として利用可能である。
【符号の説明】
【００３９】
１…低床台秤  ２…載置台  ２Ａ…載置面  ２Ｂ…裏面  ２Ｃ…周縁  ２ａ…載置板  Ｓ１〜Ｓ４…辺  Ｔ…直角部  ３…収容部  ３ａ…天板  ３ｂ，３ｃ…外方側壁  ３ｄ，３ｅ…内方側壁  ３ｆ…収容室  ４…支持脚  ４Ａ…高さ調整部  ４ａ…台座  ４ｂ…ネジ体  ４ｃ…固定部  ４ｄ…突縁部  ４ｅ…ナット  ５…和算箱  ６…ロードセル  ６ａ…保持部材  ６ｂ…ボルト  ６ｃ…挿入孔  ７Ｘ〜９Ｙ…補強部材  １０…カバー体  １０ａ…上端  １０ｂ…両端  １０ｃ…下端  １１…切り欠き部  ５０…設置面  ５１…スロープ  ５１ａ…辺  ５２…取付部材  ５２ａ…挿入孔
【図１】
0003234894.tif 000003
【図２】
0003234894.tif 000004
【図３】
0003234894.tif 000005
【図４】
0003234894.tif 000006
【図５】
0003234894.tif 000007